(57)【特許請求の範囲】
【請求項１】
オフフックに続くダイヤルボタンの押下によりダイヤル番号を選択信号として電話回線に送出して通話可能にし、そのダイヤル番号をメモリに記憶させ、オンフックによる終話後の再ダイヤルボタンの押下により、前記メモリに記憶された前記ダイヤル番号を前記電話回線に送出し、かつダイヤル番号表示器に表示する再ダイヤル機能つき電話機において、オンフック状態のときにダイヤルボタンにより押下した再ダイヤルの最大桁数を設定して、前記メモリに記憶させる最大桁数設定ボタンとオフフック後のダイヤルボタンの押下によりダイヤル番号を選択信号として電話回線に送出して通話を行った後、オンフックにより終話となった場合に、そのダイヤル番号の桁数と前記メモリ記憶させてある再ダイヤルの最大桁数とを比較し、その最大桁数の範囲内のダイヤル番号のみ、オフフック後の前記再ダイヤルボタンの押下時に読み出して、前記電話回線に送出する制御部とを備え、
前記再ダイヤルの最大桁数が、通話相手の電話番号の桁数であって、
前記制御部が、オンフック状態を認識すると、前記メモリに記憶された再ダイヤルの最大桁数を超える桁部分のダイヤル番号を消去することを特徴とする再ダイヤル機能つき電話機。
【請求項２】
前記ダイヤル番号を選択信号として前記電話回線に送出する選択信号送出回路を有することを特徴とする請求項１に記載の再ダイヤル機能つき電話機。
【請求項３】
前記再ダイヤルの最大桁数の範囲外のダイヤル番号が、銀行の口座番号または暗証番号に相当するダイヤル番号であることを特徴とする請求項１に記載の再ダイヤル機能つき電話機。
【請求項４】
前記メモリに対する再ダイヤルの最大桁数の記憶が、オンフック状態において、最大桁数設定ボタンを押下した後最大桁数をダイヤルボタンの押下で入力し、再び最大桁数設定ボタンを押下することによりなされることを特徴とする請求項１に記載の再ダイヤル機能つき電話機。
【請求項５】
オフフック状態になると、前記電話回線を通話回路および制御部に接続して回線閉結状態にするフックスイッチが設けられていることを特徴とする請求項１に記載の再ダイヤル機能つき電話機。
【請求項６】
前記電話回線が、アナログ電話回線、ＩＳＤＮ回路およびＬＡＮ回線のいずれか一つであることを特徴とする請求項１に記載の再ダイヤル機能つき電話機。
【発明の詳細な説明】
【０００１】
【発明の属する技術分野】
本発明はメモリに記憶させたダイヤル番号を、同一の通信相手へ再ダイヤルする再ダイヤル機能つき電話機に関する。
【０００２】
【従来の技術】
従来から、再ダイヤル機能つき電話機における再ダイヤルメモリの内容の第三者による読み出し行為を防止するため、通話終了後、再度回線を捕捉し、意味を持たない番号をダイヤルし、再ダイヤルメモリに上書きすることでダイヤル内容を消去したり、或いは、退避操作等によりメモリ内容を退避メモリに移動し、暗証番号等の入力によってのみ読み出しを可能とするなどの手段がとられていた。
【０００３】
図３は、従来の再ダイヤル機能つき電話機を示すブロック図である。この再ダイヤル機能つき電話機１は電話回線１２に接続されて、この電話回線１２に接続された内部ブロックの切替を行うフックスイッチ２と、電話回線１２を閉結し、送受話音声を制御する通話回路３と、通話回路３からの受話音声信号を音声に変換し、また操作者の声を送話音声信号に変換する送受器４と、電話回線１２からの着信信号を着信音に変換する着信音生成回路５と、ダイヤル情報を選択信号として電話回線１２に送出する選択信号送出回路６と、電話機全体を制御する制御部７と、再ダイヤルメモリの内容やダイヤル内容を表示するダイヤル番号表示器８と、制御部７の処理結果を記憶するメモリ９と、再ダイヤル操作を起動する再ダイヤルボタン１０と、ダイヤルボタン１１から構成される。
そして、前記電話回線１２はフックスイッチ２に接続され、フックスイッチ２は通話回路３、着信音生成回路５、選択信号送出回路６、制御部７にそれぞれ接続されている。また、通話回路３は送受器４に接続され、制御部７は選択信号送出回路６、ダイヤル番号表示器８、メモリ９、再ダイヤルボタン１０、ダイヤルボタン１１にそれぞれ接続されている。
【０００４】
このような再ダイヤル機能つき電話機１は、オフフック後、ダイヤルボタン１１の押下により、ダイヤル番号が選択信号として電話回線１２に送出されるとともにダイヤル番号表示器８に表示され、さらにメモリ９に記憶される。その後、引き続きダイヤルボタン１１が押下されると、ダイヤル番号は選択信号として電話回線１２に送出されるとともに、前記同様にダイヤル番号表示器８に表示されメモリ９に記憶される。その後、オンフックにより終話すると、メモリ９に記憶されたダイヤル番号は、制御部７により再ダイヤル番号としてメモリ９に記憶される。そこでオフフック後、再ダイヤルボタン１０を押下すると、メモリ９に記憶された再ダイヤル番号が制御部７により読み出され、選択信号として電話回線１２に送出されるとともに、ダイヤル番号表示器８に表示される。
【０００５】
【発明が解決しようとする課題】
しかしながら、前記従来の再ダイヤル機能つき電話機では、ダイヤルした番号の内容が、第三者の再ダイヤル操作により容易に読み出されてしまうという問題があった。例えば、電話機１の使用者が銀行等のテレホンサービスを利用した場合に、番号表示機能を持つ電話機１では、この電話機から入力する口座番号や暗証番号が、ダイヤル番号として再ダイヤルメモリに登録され、その後第三者が再ダイヤルボタン１０を操作することで、その口座番号や暗証番号がこの第三者に知られてしまうという問題があった。
また、この番号の漏洩防止策としては、テレホンサービス終了後に再度オフフックし、任意の番号をダイヤルすることでこの番号を再ダイヤルメモリに上書きし、口座番号や暗証番号にあたるダイヤル番号を削除する方法、あるいは消去ボタンやメモリ退避ボタンを電話機に装備し、テレホンサービス終了後にこのボタンを押下し、再ダイヤルメモリから消去することにより、再ダイヤル操作による読み出しを不可能にする方法等がとられるが、操作が煩雑であるとともに操作忘れによって、第三者へ番号が漏洩する場合があるなどの問題があった。
【０００６】
本発明は前記のような問題を解決するためになされたものであり、再ダイヤルの最大桁数を制限することで、テレホンサービスアクセス先の電話番号を保持しながら、その後に続いてダイヤルされた口座番号や暗証番号に相当するダイヤル番号などをメモリ対象から除外し、再ダイヤル操作による第三者への流出の防止を、ダイヤル操作毎の特別な操作無しに簡単に実現でき、かつ、操作性を向上させることができる再ダイヤル機能つき電話機を得ることを目的とする。
【０００７】
【課題を解決するための手段】
前記目的達成のために、請求項１の発明にかかる再機能つき電話機は、オフフックに続くダイヤルボタンの押下によりダイヤル番号を選択信号として電話回線に送出して通話可能にし、そのダイヤル番号をメモリに記憶させ、オンフックによる終話後に、ダイヤルボタンにより押下した再ダイヤルの最大桁数を設定してメモリに記憶させる最大桁数設定ボタンを設け、制御部に、オフフック後のダイヤルボタンの押下によりダイヤル番号選択信号として電話回線に送出して通話を行った後、オンフックにより終話となった場合に、そのダイヤル番号の桁数と前記メモリ記憶させてある再ダイヤルの最大桁数とを比較させ、その最大桁数の範囲内のダイヤル番号のみ、オフフック後の前記再ダイヤルボタンの押下時に読み出させて、前記電話回線に送出させるようにしたものである。また、前記再ダイヤルの最大桁数が、通話相手の電話番号の桁数であって、前記制御部が、オンフック状態を認識すると、前記メモリに記憶された再ダイヤルの最大桁数を超える桁部分のダイヤル番号を消去するようにしたものである。これにより、アクセス先の電話番号を保持しながら、秘密にした口座番号などのその後のダイヤル番号をメモリ対象から除外して、再ダイヤル操作による第三者への流出を阻止できる。
【０００９】
また、請求項２の発明にかかる再機能つき電話機は、前記ダイヤル番号を選択信号として前記電話回線に送出する選択信号送出回路を設けたものである。
【００１０】
また、請求項３の発明にかかる再機能つき電話機は、前記再ダイヤルの最大桁数の範囲外のダイヤル番号を、銀行の口座番号または暗証番号に相当するダイヤル番号としたものである。
【００１１】
また、請求項４の発明にかかる再機能つき電話機は、前記メモリに対する再ダイヤルの最大桁数の記憶を、オンフック状態において、最大桁数設定ボタンを押下した後最大桁数をダイヤルボタンの押下で入力し、再び最大桁数設定ボタンを押下することにより行うものである。
【００１２】
また、請求項５の発明にかかる再機能つき電話機は、オフフック状態になると前記電話回線を通話回路および制御部に接続して回線閉結状態にするフックスイッチを設けたものである。
【００１４】
また、請求項６の発明にかかる再機能つき電話機は、前記電話回線を、アナログ電話回線、ＩＳＤＮ回路およびＬＡＮ回線のいずれか一つとしたものである。
【００１５】
【発明の実施の形態】
以下、本発明の実施の一形態を図について詳細に説明する。図１は本発明の再ダイヤル機能つき電話機１Ａを示すブロック図である。この再ダイヤル機能つき電話機１Ａは電話回線１２に接続されて、この電話回線１２に接続された内部ブロックの切替を行うフックスイッチ２と、電話回線１２を閉結し、送受話音声を制御する通話回路３と、通話回路３からの受話音声信号を音声に変換し、また操作者の声を送話音声信号に変換する送受器４と、電話回線１２からの着信信号を着信音に変換する着信音生成回路５と、ダイヤル情報を選択信号として前記電話回線１２に送出する選択信号送出回路６と、電話機１Ａの全体を制御する制御部７と、再ダイヤルメモリの内容やダイヤル内容を表示するダイヤル番号表示器８と、制御部７の処理結果を記憶するメモリ９と、再ダイヤル操作を起動する再ダイヤルボタン１０と、ダイヤルボタン１１と、再ダイヤルメモリの最大桁数の設定に使用する最大桁数設定ボタン１３から構成される。
【００１６】
また、電話回線１２はフックスイッチ２に接続され、フックスイッチ２は通話回路３、着信音生成回路５、選択信号送出回路６、制御部７にそれぞれ接続されている。また、通話回路３は送受器４に接続され、制御部７は選択信号送出回路６、ダイヤル番号表示器８、メモリ９、再ダイヤルボタン１０、ダイヤルボタン１１、最大桁数設定ボタン１３にそれぞれ接続されている。
【００１７】
前記構成になる再ダイアル機能つき電話機１Ａは、通話を行っていないオンフックの状態において、最大桁数設定ボタン１３の押下に続いてダイヤルボタン１１により再ダイヤルの最大桁数を押下し、続いて再度最大桁数設定ボタン１３を押下することで、制御部７は再ダイヤルの最大桁数をメモリ９に記憶させる。続いてオフフックを行い、このオフフック後、ダイヤルボタン１１の押下により、ダイヤル番号が選択信号として電話回線１２に送出されるとともに、ダイヤル番号表示器８に表示され、さらにメモリ９に記憶される。その後、引き続きダイヤルボタン１１が押下されると、ダイヤル番号が選択信号として電話回線１２に送出されるとともに、ダイヤル番号表示器８に表示され、さらにメモリ９にも記憶される。
【００１８】
続いて、オンフックにより終話すると、制御部７はメモリ９に記憶されたダイヤル番号の桁数と、メモリ９に記憶された前記再ダイヤルの最大桁数を比較し、その最大桁数の範囲内のダイヤル番号のみ、再ダイヤル番号としてメモリ９に記憶される。従って、オフフック後に、再ダイヤルボタン１０が押下されると、メモリ９に記憶された桁数の制限された再ダイヤル番号が制御部７により読み出され、選択信号として電話回線１２に送出されるとともに、ダイヤル番号表示器８に表示される。
【００１９】
次に、前記再ダイヤル機能つき電話機の動作を、図２に示すフローチャートを参照しながら具体的に説明する。まず、送受器４を上げていないオンフックの状態において（ステップＳ１）、最大桁数設定ボタン１３を押下した後（ステップＳ２）、最大桁数をダイヤルボタン１１の押下で入力し（ステップＳ３）、その後再び最大桁数設定ボタン１３を押下する（ステップＳ４）。こうすることでメモリ９に再ダイヤルの最大桁数が記憶される（ステップＳ５）。
続いて、送受器４を上げてオフフック状態にする（ステップＳ１）。これによりフックスイッチ２を通じて電話回線１２が通話回路３と選択信号送出回路６に接続され、回線閉結状態になる。同時に、制御部７はフックスイッチ２の状態を検出し、オフフック状態を認識する。そこで、ダイヤルするためにダイヤルボタン１１を押下すると（ステップＳ６）、押下内容は制御部７で検出され、選択信号送出回路６とダイヤル番号表示器８に送られる。選択信号送出回路６は押下内容に基づき電話回線１２に選択信号を送出し（ステップＳ７）、ダイヤル番号表示器８はダイヤル内容を表示する（ステップＳ８）。また、このダイヤル内容がメモリ９に記憶される（ステップＳ９）。
【００２０】
こうして、通話を終了し、送受器４をおろすと、オンフック状態になり、フックスイッチ２は電話回線１２を通話回路３と選択信号送出回路６から切り離し、回線解放状態にする。同時に、制御部７はフックスイッチ２の状態を検出し、オンフック状態を認識する。制御部７はオンフック状態を認識すると（ステップＳ１０）、メモリ９に記憶された再ダイヤルの最大桁数を読み出し、ダイヤル内容の桁数と比較し、ダイヤル内容のうち再ダイヤルの最大桁数を超える桁部分のダイヤル内容を消去し（ステップＳ１１）、再ダイヤルの最大桁数の範囲内の桁部分のダイヤル内容を再ダイヤル番号として、メモリ９に記憶する（ステップＳ１２）。
その後、送受器４を上げてオフフック状態にすると（ステップＳ１）、フックスイッチ２を通じて、電話回線１２が通話回路３と選択信号送出回路６に接続され、回線閉結状態になる。同時に、制御部７はフックスイッチ２の状態を検出して、オフフック状態を認識する。ここで、再ダイヤルボタン１０を押下すると（ステップＳ１３）、制御部７はメモリ９に記憶されている再ダイヤル番号を読み出し（ステップＳ１４）、選択信号送出回路６とダイヤル番号表示器８に送る。選択信号送出回路６は再ダイヤル番号に基づき電話回線１２に選択信号を送出し（ステップＳ１５）、ダイヤル番号表示器８はダイヤル内容を表示する（ステップＳ１６）。そして、このダイヤル内容がメモリ９に記憶される（ステップＳ１０）。
このように、メモリ９に記憶されたダイヤル番号のうち、指定桁数を超えたダイヤル内容を記憶対象から除外することで、第三者によるダイヤル内容の読み出しを確実に防止できる。
【００２１】
なお、前記実施の形態では、再ダイヤルの最大桁数の設定を、オンフック時の最大桁数設定ボタンの操作を契機として行った場合を示したが、その他の状態や操作方法によって行うことは任意である。
また、前記実施の形態では、アナログ電話回線用電話機を基に説明したが、ＩＳＤＮ回線やＬＡＮ回線を使用するデジタル電話機にも、前記同様の再ダイヤル制御を利用できる。
さらに、前記実施の形態では、直接電話回線１２に接続される単独電話機を用いて説明したが、構内交換機と内線電話機あるいはボタン電話システムと内線電話機の組み合わせにより実現することもできる。この再ダイヤル制御は、ファクシミリあるいはコードレス電話機にも適用できる。
【００２２】
【発明の効果】
以上のように、本発明によれば、オンフック状態のときにダイヤルボタンにより押下した再ダイヤルの最大桁数を設定して、メモリに記憶させる最大桁数設定ボタンを設け、制御部の制御下で、オフフック後のダイヤルボタンの押下によりダイヤル番号選択信号として電話回線に送出して通話を行った後、オンフックにより終話となった場合に、そのダイヤル番号の桁数と前記メモリに記憶させてある再ダイヤルの最大桁数とを比較して、その最大桁数の範囲内のダイヤル番号のみ、オフフック後の前記再ダイヤルボタンの押下時に読み出して、前記電話回線に送出するようにしたので、予め再ダイヤルの桁数を設定しておくだけで、通話ごとに自動的に桁数制限処理を行うことができ、これによって従来におけるような再ダイヤル番号の消去や再ダイヤル番号の上書きなどの面倒な作業を省きながら第三者によるダイヤル内容の読み出しを防止できるという効果が得られる。
【００２３】
また、再ダイヤルの内容の全てを消去するのではなく、桁数制限をすることで特に銀行等のテレホンサービスを利用する場合に、桁数制限をそのサービスの電話番号の桁数に合わせておけば、電話番号以降にダイヤルする口座番号や暗証番号の部分のみを消去でき、電話番号だけ再ダイヤル番号として記憶出来るので、そのサービスへの再ダイヤルが可能である。
【図面の簡単な説明】
【図１】  本発明の実施の一形態による再ダイヤル機能つき電話機を示すブロック図である。
【図２】  図１における再ダイヤル機能つき電話機の動作手順を示すフローチャートである。
【図３】  従来の再ダイヤル機能つき電話機を示すブロック図である。
【符号の説明】
１  再ダイヤル機能つき電話機
２  フックスイッチ
３  通話回路
６  選択信号送出回路
７  制御部
８  ダイヤル番号表示器
９  メモリ
１０  再ダイヤルボタン
１１  ダイヤルボタン
１２  電話回線
１３  最大桁数設定ボタン
【図１】
0003655836.tif 000002
【図２】
0003655836.tif 000003
【図３】
0003655836.tif 000004